【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
マウンティング要素と、
ハウジング要素と、
を含む、マウントであって、
前記マウンティング要素は、マウンティング要素接続表面によって接続された複数のマウンティング要素マウンティングパッドを含み、
前記マウンティング要素接続表面と、前記複数のマウンティング要素マウンティングパッドは、平らな連続表面を一緒に形成しており、
前記ハウジング要素は、ハウジング要素接続表面によって接続された複数のハウジング要素マウンティングパッドを含み、
前記ハウジング要素接続表面と、前記複数のハウジング要素マウンティングパッドは、平らな連続表面を一緒に形成しており、
前記複数のマウンティング要素マウンティングパッドは、前記複数のハウジング要素マウンティングパッドと接触しており、
前記マウンティング要素接続表面と、前記ハウジング要素接続表面は、間隔を置いている、マウント。
【請求項２】
前記マウンティング要素接続表面と前記複数のマウンティング要素マウンティングパッドとからなる前記平らな連続表面は、光学仕上げを有し、
前記ハウジング要素接続表面と前記複数のハウジング要素マウンティングパッドとからなる前記平らな連続表面は、光学仕上げを有する、請求項１のマウント。
【請求項３】
前記マウンティング要素接続表面は、マウンティング要素環状部を含み、
前記ハウジング要素接続表面は、ハウジング要素環状部を含む、請求項１のマウント。
【請求項４】
前記マウンティング要素環状部と前記ハウジング要素環状部とのうちの一方は、前記マウンティング要素環状部と前記ハウジング要素環状部とのうち他方の半径方向内側にある、請求項３のマウント。
【請求項５】
前記複数のマウンティング要素マウンティングパッドは、前記マウンティング要素環状部から半径方向外側に延在していて、
前記複数のハウジング要素マウンティングパッドは、前記ハウジング要素環状部から半径方向内側に延在している、請求項４のマウント。
【請求項６】
前記複数のマウンティング要素マウンティングパッドは、３つのマウンティング要素マウンティングパッドを含み、
前記複数のハウジング要素マウンティングパッドは、３つのハウジング要素マウンティングパッドを含む、請求項１のマウント。
【請求項７】
前記マウンティング要素は、光学素子を含む、請求項６のマウント。
【請求項８】
前記光学素子は、ミラー又はレンズである、請求項７のマウント。
【請求項９】
前記マウンティング要素と前記ハウジング要素との前記マウントは、セミキネマティックマウントを含む、請求項６のマウント。
【請求項１０】
第２のマウンティング要素を更に含む、マウントであって、
前記第２のマウンティング要素は、第２のマウンティング要素接続表面によって接続された複数の第２のマウンティング要素マウンティングパッドを含み、
前記第２のマウンティング要素接続表面と、前記複数の第２のマウンティング要素マウンティングパッドは、連続表面を形成しており、
前記ハウジング要素は、第２のハウジング要素接続表面によって接続された複数の第２のハウジング要素マウンティングパッドを更に含み、
前記第２のハウジング要素接続表面と前記複数の第２のハウジング要素マウンティングパッドは、連続表面を形成しており、
前記複数の第２のマウンティング要素マウンティングパッドは、前記複数の第２のハウジング要素マウンティングパッドと接触していて、
前記第２のマウンティング要素接続表面と、前記第２のハウジング要素接続表面は、間隔を置いている、請求項１のマウント。
【請求項１１】
平らなハウジングマウント表面を有するハウジングと、
平らな光学素子マウント表面を有する光学素子と、
を含む、セミキネマティックマウントであって、
前記平らなハウジングマウント表面は、複数のハウジングマウンティングパッドを含み、
各ハウジングマウンティングパッドは、他の複数のハウジングマウンティングパッドの対応する表面及び前記平らなハウジングマウント表面の他の部分と共平面である表面を有し、
前記平らな光学素子マウント表面は、複数の光学素子マウンティングパッドを含み、
各光学素子マウンティングパッドは、他の複数の光学素子マウンティングパッドの表面及び前記光学素子マウンティング表面の他の部分と共平面である表面を有し、
ここで、前記光学素子が前記ハウジングにマウントされたときに、前記複数のハウジングマウンティングパッドと、前記複数の光学素子マウンティングパッドは、互いに接触し、
ハウジングマウントは、高反射表面を有し、
光学素子マウントは、高反射表面を有する、セミキネマティックマウント。
【請求項１２】
平らなハウジングマウント表面を有するハウジングと、
平らな光学素子マウント表面を有する光学素子と、
を含む、セミキネマティックマウントであって、
前記平らなハウジングマウント表面は、複数のハウジングマウンティングパッドを含み、
各ハウジングマウンティングパッドは、他の複数のハウジングマウンティングパッドの対応する表面及び前記平らなハウジングマウント表面の他の部分と共平面である表面を有し、
前記平らな光学素子マウント表面は、複数の光学素子マウンティングパッドを含み、
各光学素子マウンティングパッドは、他の複数の光学素子マウンティングパッドの表面及び前記光学素子マウンティング表面の他の部分と共平面である表面を有し、
ここで、前記光学素子が前記ハウジングにマウントされたときに、前記複数のハウジングマウンティングパッドと、前記複数の光学素子マウンティングパッドは、互いに接触し、
ハウジングマウントは、光学仕上げを有し、
光学素子マウントは、光学仕上げを有する、セミキネマティックマウント。
【請求項１３】
平らなハウジングマウント表面を有するハウジングと、
平らな光学素子マウント表面を有する光学素子と、
を含む、セミキネマティックマウントであって、
前記平らなハウジングマウント表面は、複数のハウジングマウンティングパッドを含み、
各ハウジングマウンティングパッドは、他の複数のハウジングマウンティングパッドの対応する表面及び前記平らなハウジングマウント表面の他の部分と共平面である表面を有し、
前記平らな光学素子マウント表面は、複数の光学素子マウンティングパッドを含み、
各光学素子マウンティングパッドは、他の複数の光学素子マウンティングパッドの表面及び前記光学素子マウンティング表面の他の部分と共平面である表面を有し、
ここで、前記光学素子が前記ハウジングにマウントされたときに、前記複数のハウジングマウンティングパッドと、前記複数の光学素子マウンティングパッドは、互いに接触し、
ハウジングマウント又は光学素子マウントのうちの少なくとも一方は、開放端の形状である、セミキネマティックマウント。
【請求項１４】
平らな光学素子マウントを含む光学素子と、
平らなハウジングマウントを含むハウジングと、
を含む、光学マウントであって、
前記平らな光学素子マウントは、複数の光学素子マウンティングパッドと、光学素子接続表面との両者を更に含み、
前記光学素子接続表面は、前記複数の光学素子マウンティングパッドを一緒にリンクし、
前記複数の光学素子マウンティングパッドの各々は、前記光学素子接続表面と共平面である表面を有し、
前記平らなハウジングマウントは、複数のハウジングマウンティングパッドと、ハウジング接続表面との両者を更に含み、
前記ハウジング接続表面は、前記複数のハウジングマウンティングパッドを一緒にリンクし、
前記複数のハウジングマウンティングパッドの各々は、前記ハウジング接続表面と共平面である表面を有し、
ここで、前記平らな光学素子マウントは、前記平らなハウジングマウントと接触していて、
前記平らな光学素子マウントと、前記平らなハウジングマウントは、前記複数の光学素子マウンティングパッドと前記複数のハウジングマウンティングパッドとにおいてのみ接触し、
前記平らな光学素子マウントは、光学的に測定可能な表面を有し、
前記平らなハウジングマウントは、光学的に測定可能な表面を有する、光学マウント。
【請求項１５】
平らな光学素子マウントを含む光学素子と、
平らなハウジングマウントを含むハウジングと、
を含む、光学マウントであって、
前記平らな光学素子マウントは、複数の光学素子マウンティングパッドと、光学素子接続表面との両者を更に含み、
前記光学素子接続表面は、前記複数の光学素子マウンティングパッドを一緒にリンクし、
前記複数の光学素子マウンティングパッドの各々は、前記光学素子接続表面と共平面である表面を有し、
前記平らなハウジングマウントは、複数のハウジングマウンティングパッドと、ハウジング接続表面との両者を更に含み、
前記ハウジング接続表面は、前記複数のハウジングマウンティングパッドを一緒にリンクし、
前記複数のハウジングマウンティングパッドの各々は、前記ハウジング接続表面と共平面である表面を有し、
前記平らな光学素子マウントは、前記平らなハウジングマウントと接触していて、
前記平らな光学素子マウントと、前記平らなハウジングマウントは、前記複数の光学素子マウンティングパッドと前記複数のハウジングマウンティングパッドとにおいてのみ接触し、
前記光学素子接続表面と前記ハウジング接続表面とのうちの一方は、前記光学素子接続表面とハウジング接続表面とのうちの他方の半径方向内側にあり、
前記光学素子接続表面の前記複数の光学素子マウンティングパッドが、前記光学素子接続表面から半径方向内側に延在している場合に、
前記ハウジング接続表面の前記複数のハウジングマウンティングパッドは、前記ハウジング接続表面から半径方向外側に延在し、
前記ハウジング接続表面の前記複数のハウジングマウンティングパッドが、前記ハウジング接続表面から半径方向内側に延在している場合に、
前記光学素子接続表面の前記複数の光学素子マウンティングパッドは、前記光学素子接続表面から半径方向内側に延在し、
前記光学素子接続表面は、光学素子接続環状部であり、
前記ハウジング接続表面は、ハウジング要素接続環状部であり、
前記複数の光学素子マウンティングパッドは、前記光学素子接続環状部の周りにおいて、軸対称に間隔を置いており、
前記複数のハウジングマウンティングパッドは、前記ハウジング要素接続環状部の周りにおいて、軸対称に間隔を置いている、光学マウント。
【手続補正２】
【補正対象書類名】明細書
【補正対象項目名】００５１
【補正方法】変更
【補正の内容】
【００５１】
ここに記載されている態様に一致するマウントは、機械で測定されるマウントよりも厳しい公差で製造できるマウントの製造を可能にする。本発明は、特定の好ましい１つ以上の実施形態に関して示され記載されているが、当業者が、本明細書を読んで添付の図面と共に理解したときに、同等の変更又は修正を思い付くことは、明らかである。特に、上述の要素(コンポーネント、組み立て、デバイス、構成、等)によって行なわれる様々な機能に関して、このような要素（「手段」との記載を含む）を説明するために使用されている用語は、本発明のここに記載されている例示的な１又は複数の実施形態を行う開示された構造と構造的に同等でなくても、別段の記載が無い限り、記載されている要素の特定の機能を行う任意の要素（即ち、機能的に同等のもの）に対応することが意図されている。更に、幾つかの例示的な実施形態のうちの１つのみ又はそれ以上に関して、本発明の特定の特徴が記載されているかもしれないが、任意の所定の又は特定の応用に対して望ましく好都合であり得る他の実施形態の１つ以上の他の特徴と、このような特徴とを組み合わせてもよい。  
以下に、本願出願時の特許請求の範囲に記載された発明を付記する。
［１］光学素子と、
ハウジングと、
を含む、光学マウントであって、
前記光学素子は、光学素子マウントを含み、
前記光学素子マウントは、
複数の光学素子マウンティングパッドと、
前記光学素子マウンティングパッドを一緒にリンクする光学素子接続表面と、を含み、
前記ハウジングは、ハウジングマウントを含み、
前記ハウジングマウントは、
複数のハウジングマウンティングパッドと、
前記ハウジングマウンティングパッドをリンクするハウジング接続表面と、を含み、
前記光学素子マウントは、前記ハウジングマウントと接触していて、
前記光学素子マウントと、前記ハウジングマウントは、前記マウンティングパッドにおいてのみ接触する、
光学マウント。
［２］前記接続表面のうちの一方は、他方の接続表面に対して、半径方向内側にある、前記［１］の光学マウント。
［３］前記接続表面の一方の前記マウンティングパッドは、前記接続表面から半径方向内側に延在していて、
前記他方の接続表面における前記マウンティングパッドは、前記他方の接続表面から半径方向外側に延在している、前記［１］又は［２］の光学マウント。
［４］前記複数の光学素子マウンティングパッドは、少なくとも３つの光学素子マウンティングパッドを含み、
前記ハウジング要素マウンティングパッドは、少なくとも３つのハウジング要素マウンティングパッドを含む、前記［１］乃至［１］の何れか１つの光学マウント。
［５］前記光学素子接続表面は、光学素子接続環状部であり、
前記ハウジング要素接続表面は、ハウジング要素接続環状部である、前記［１］乃至［４］の何れか１つの光学マウント。
［６］前記光学素子マウンティングパッドは、前記光学素子接続表面の周りにおいて、軸対称に間隔を置いていて、
前記ハウジング要素マウンティングパッドは、前記ハウジング要素接続表面の周りにおいて、軸対称に間隔を置いている、前記［１］乃至［５］の何れか１つの光学マウント。
［７］前記光学素子マウントは、実質的に平らであって、
前記ハウジングマウントは、実質的に平らである、前記［１］乃至［６］の何れか１つの光学マウント。
［８］前記光学素子マウントは、連続するモノリシックな材料の一部分であり、
前記ハウジングマウントは、連続するモノリシックな材料の一部分である、前記［１］乃至［７］の何れか１つの光学マウント。
［９］前記光学素子マウントは、光学的に測定可能な表面であり、
前記ハウジング要素マウントは、光学的に測定可能な表面である、前記［１］乃至［８］の何れか１つの方法。
［１０］マウンティング要素と、
ハウジング要素と、
を含む、マウントであって、
前記マウンティング要素は、マウンティング要素接続表面によって接続された複数のマウンティング要素マウンティングパッドを含み、
前記マウンティング要素接続表面と、前記複数のマウンティング要素マウンティングパッドは、実質的に連続する表面を形成しており、
前記ハウジング要素は、ハウジング要素接続表面によって接続された複数のハウジング要素マウンティングパッドを含み、
前記ハウジング要素接続表面と、前記複数のハウジング要素マウンティングパッドは、実質的に連続する表面を形成しており、
前記マウンティング要素マウンティングパッドは、前記ハウジング要素マウンティングパッドと接触しており、
前記マウンティング要素接続表面と、前記ハウジング要素接続表面は、間隔を置いている、
マウント。
［１１］前記マウンティング要素接続表面と前記マウンティング要素マウンティングパッドとの前記実質的に連続する表面は、実質的に平らであり、
前記ハウジング要素接続表面と前記ハウジング要素マウンティングパッドとの前記実質的に連続する表面は、実質的に平らである、前記［１０］のマウント。
［１２］前記マウンティング要素接続表面と前記マウンティング要素マウンティングパッドとの前記実質的に連続する表面は、光学仕上げを有し、
前記ハウジング要素接続表面と前記ハウジング要素マウンティングパッドは、光学仕上げを有する、前記［１０］又は［１１］のマウント。
［１３］前記マウンティング要素接続表面は、マウンティング要素環状部を含み、
前記ハウジング要素接続表面は、ハウジング要素環状部を含む、前記［１０］乃至［１２］の何れか１つのマウント。
［１４］前記マウンティング要素環状部と前記ハウジング要素環状部とのうちの一方は、前記マウンティング要素環状部と前記ハウジング要素環状部とのうちの他方の半径方向内側にある、［１３］のマウント。
［１５］前記マウンティング要素マウンティングパッドは、前記マウンティング要素環状部から半径方向外側に延在していて、
前記ハウジング要素マウンティングパッドは、前記ハウジング要素環状部から半径方向内側に延在している、前記［１３］又は［１４］のマウント。
［１６］前記複数のマウンティング要素マウンティングパッドは、３つのマウンティング要素マウンティングパッドを含み、
前記複数のハウジング要素マウンティングパッドは、３つのハウジング要素マウンティングパッドを含む、前記［１０］乃至［１５］の何れか１つのマウント。
［１７］前記マウンティング要素は、光学素子を含む、前記［１０］乃至［１６］の何れか１つのマウント。
［１８］前記光学素子は、ミラー又はレンズである、前記［１７］のマウント。
［１９］前記マウンティング要素と前記ハウジング要素との前記マウントは、セミキネマティックマウントを含む、前記［１０］乃至［１８］の何れか１つのマウント。
［２０］第２のマウンティング要素を更に含む、マウントであって、
前記第２のマウンティング要素は、第２のマウンティング要素接続表面によって接続された複数の第２のマウンティング要素マウンティングパッドを含み、
前記第２のマウンティング要素接続表面と、前記複数の第２のマウンティング要素マウンティングパッドは、実質的に連続する表面を形成しており、
前記ハウジング要素は、第２のハウジング要素接続表面によって接続された第２の複数のハウジング要素マウンティングパッドを更に含み、
前記第２のハウジング要素接続表面と前記第２のハウジング要素マウンティングパッドは、実質的に連続する表面を形成しており、
前記第２のマウンティング要素マウンティングパッドは、前記第２のハウジング要素マウンティングパッドと接触していて、
前記第２のマウンティング要素接続表面と、前記第２のハウジング要素接続表面は、間隔を置いている、前記［１０］乃至［１９］の何れか１つのマウント。
［２１］幾つかのハウジングマウンティングパッドを含む実質的に平らなハウジングマウントを有するハウジングと、
幾つかの光学素子マウンティングパッドを含む実質的に平らなマウンティング表面を有
する光学素子と、
を含み、
前記光学素子が前記ハウジングにマウントされたときに、前記ハウジングマウンティングパッドと、前記光学素子マウンティングパッドは、互いに接触する、
セミキネマティックマウント。
［２２］前記ハウジングマウントは、高反射表面であり、
前記光学素子マウントは、高反射表面である、前記［２１］のセミキネマティックマウント。
［２３］前記ハウジングマウントは、光学仕上げを有し、
前記光学素子マウントは、光学仕上げを有する、前記［２１］又は［２２］のセミキネマティックマウント。
［２４］前記ハウジングマウント又は前記光学素子マウントのうちの少なくとも一方は、開放端の形状である、前記［２１］乃至［２３］の何れか１つのセミキネマティックマウント。
［２５］前記ハウジングマウントは、環状表面であり、
前記光学素子マウントは、環状表面である、前記［２１］乃至［２４］の何れか１つのセミキネマティックマウント。
［２６］一方の環状表面は、他方の環状表面の半径方向内側にある、前記［２５］のセミキネマティックマウント。